(57)【要約】【課題】  機密情報を有する取得した画像データを一旦、マスタに書き込める形態に変換し、その変換画像データを画像メモリ（変換画像データ記録手段）に記録することでの利点を残しつつ、画像メモリには不要な変換画像データを残さないようにすることで、簡単に機密保持を行うことのできる孔版印刷装置を提供する。【解決手段】  制御装置１００は、製版スタートキー８６からのスタート信号および画像メモリ４５に記録している変換画像データに基づいて、サーマルヘッド２２を駆動すると共に、第１のステッピングモータ２３Ａを駆動制御することによりプラテンローラ２３および搬送駆動ローラ３０および搬送従動ローラ３１を作動させてマスタ８ａを穿孔製版・搬送した後、画像メモリ４５に記録している変換画像データを画像信号処理装置４４を介して消去させることで、機密保持モードを実行する。【選択図】図７
2006343971.tif 000002
【特許請求の範囲】
【請求項１】
取得した画像データを孔版印刷用に変換処理を施す画像処理手段と、該画像処理手段により孔版印刷用に変換処理された変換画像データを記録する変換画像データ記録手段と、該変換画像データ記録手段に記録された変換画像データに基づいてマスタを製版する製版手段と、製版済みのマスタをその外周面に巻装し該外周面上の製版済みのマスタにインキが供給される印刷ドラムと、製版済みのマスタを前記外周面上へ着版させる給版手段とを具備する孔版印刷装置において、
前記製版手段により前記変換画像データに基づいてマスタを穿孔製版した後、前記変換画像データ記録手段に記録している前記変換画像データを消去する機密保持モードが実行可能であることを特徴とする孔版印刷装置。
【請求項２】
取得した画像データを孔版印刷用に変換処理を施す画像処理手段と、該画像処理手段により孔版印刷用に変換処理された変換画像データを記録する変換画像データ記録手段と、該変換画像データ記録手段に記録された変換画像データに基づいてマスタを製版する製版手段と、製版済みのマスタをその外周面に巻装し該外周面上の製版済みのマスタにインキが供給される印刷ドラムと、製版済みのマスタを前記外周面上へ着版させる給版手段と、製版済みのマスタが前記外周面上に着版したか否かを検知する着版検知手段とを具備する孔版印刷装置において、
前記製版手段により前記変換画像データに基づいてマスタを穿孔製版し、前記給版手段により前記外周面上へ製版済みのマスタを着版させ、前記着版検知手段により着版終了を検知した後に、前記変換画像データ記録手段に記録している前記変換画像データを消去する機密保持モードが実行可能であることを特徴とする孔版印刷装置。
【請求項３】
前記機密保持モードを実行するか否かを選択可能に構成したことを特徴とする請求項１記載の孔版印刷装置。
【請求項４】
前記機密保持モードを実行するか否かを選択・設定するモード選択設定手段を有することを特徴とする請求項１または３記載の孔版印刷装置。
【請求項５】
前記機密保持モードを実行するか否かを選択可能に構成したことを特徴とする請求項２記載の孔版印刷装置。
【請求項６】
前記機密保持モードを実行するか否かを選択・設定するモード選択設定手段を有することを特徴とする請求項２または５記載の孔版印刷装置。
【請求項７】
取得した画像データを孔版印刷用に変換処理を施す画像処理手段と、該画像処理手段により孔版印刷用に変換処理された変換画像データを記録する変換画像デ
ータ記録手段と、該変換画像データ記録手段に記録された変換画像データに基づいてマスタを製版する製版手段と、製版済みのマスタをその外周面に巻装し該外周面上の製版済みのマスタにインキが供給される印刷ドラムと、製版済みのマスタを前記外周面上へ着版させる給版手段と、製版済みのマスタが前記外周面上に着版したか否かを検知する着版検知手段とを具備する孔版印刷装置において、
前記製版手段により前記変換画像データに基づいてマスタを穿孔製版し、前記給版手段により前記外周面上へ製版済みのマスタを着版させる際に、前記着版検知手段により着版不良を検知した場合に、前記変換画像データ記録手段に記録している前記変換画像データを消去せず、前記着版不良処理終了後におけるリカバリ製版を行うときに、前記製版手段により前記変換画像データに基づいてマスタを穿孔製版するように構成したことを特徴とする孔版印刷装置。
【請求項８】
前記リカバリ製版を行うときに、前記変換画像データ記録手段に記録している前記変換画像データを使用するか否かを選択可能に構成したことを特徴とする請求項７記載の孔版印刷装置。
【請求項９】
前記リカバリ製版を行うときに、前記変換画像データ記録手段に記録している前記変換画像データを使用するか否かを選択・設定する選択設定手段を有することを特徴とする請求項７または８記載の孔版印刷装置。
【請求項１０】
前記変換画像データ記録手段に記録している前記変換画像データを使用して前記リカバリ製版を行うための第１のコードを記録する記録手段と、
第１のコードと同一の第２のコードを生成することが可能な第２のコード生成手段と、
第２のコード生成手段からの第２のコードが前記記録手段に記録されている第１のコードと同一であるとき、前記リカバリ製版を行うように前記製版手段を制御する制御手段と、
を有することを特徴とする請求項７、８または９記載の孔版印刷装置。
【請求項１１】
請求項１ないし１０の何れか一つに記載の孔版印刷装置と通信可能に接続されたコンピュータとで構成され、該コンピュータからの信号に基づいて前記孔版印刷装置が作動する孔版印刷装置ネットワークシステムであって、
前記コンピュータから請求項１ないし１０の何れか一つに記載の画像処理手段に、取得すべき画像データを送信することを特徴とする孔版印刷装置ネットワークシステム。
【発明の詳細な説明】
【技術分野】
【０００１】
本発明は、孔版印刷装置および孔版印刷装置ネットワークシステムに関し、さらに詳しくは、製版装置一体型の製版印刷装置とも呼ばれる孔版印刷装置およびこれに通信可能に接続された孔版印刷装置ネットワークシステムにおける機密モード処理および機密解除モード処理に関する。
【背景技術】
【０００２】
従来より、簡便な印刷方式として製版装置一体型かつ感熱デジタル式の孔版印刷装置が知られている。これは、熱可塑性樹脂フィルムを有する感熱孔版マスタ（以下、「マスタ」という）に微細な発熱素子が１列ないしは複数列に並んだサーマルヘッドを接触させ、この発熱素子に対しパルス的に通電を行いながらマスタをプラテンローラ等のマスタ搬送手段で搬送することにより、サーマルヘッドの発熱素子に接触しているマスタの熱可塑性樹脂フィルム部分を画像情報に基づいて加熱溶融穿孔することで、マスタに穿孔画像を形成した後、この穿孔されたマスタ（以下、「製版済みのマスタ」という）を印刷ドラムとも呼ばれる版胴の外周面に巻き付け、プレスローラ等の押圧手段によって印刷用紙（以下、「用紙」という）を版胴の外周面に押し付けることで版胴の開孔部分およびマスタの穿孔部分からインキを滲出させ、このインキを用紙に転移させて印刷画像を形成するものである（例えば、特許文献１参照）。
【０００３】
前述したような孔版印刷装置（以下、「孔版印刷機」というときがある）において、印刷画像の機密保持を行う場合、例えば特許第３５６６３６７号公報（特許文献１）に開示されているように、「機密保持モード」を選択すると、製版・印刷動作が終了した後に、追加印刷を不可とする技術がある。この技術は、版胴上に着版された使用済みのマスタにある画像データを第三者に印刷されないようにするためのものでもある。
【０００４】
一方、昨今では、ＲＡＭ（広義の読み書き可能なメモリの総称）や、フラッシュ・ＥＥＰＲＯＭ（フラッシュメモリ）、あるいはＨＤＤ（ハードデイスクないしはハードデイスクドライブ）のように、画像データを記録する記録手段（記憶装置ないし記憶媒体）の普及により、取得した画像データを記録手段に一旦記録し、後から呼び出して使用したり、後から画像データを加工して使用する方法が一般的となってきた。
ここで、ＲＡＭとは、揮発性メモリであるＤＲＡＭおよび電池でバックアップすることにより不揮発性メモリにすることが可能なＳＲＡＭを含む広義の読み書き可能なメモリを意味する。フラッシュ・ＥＥＰＲＯＭとは、電気的にデータの書き換え可能な不揮発性メモリを意味する。
【０００５】
孔版印刷装置においても、原稿の画像を画像読取装置で読み取ることにより取得した画像データ、あるいは孔版印刷装置に通信可能に接続されたパーソナルコンピュータ（以下、「パソコン」あるいは「ＰＣ」と略記することがある）やホストコンピュータ等のデータ編集装置（以下、単に「コンピュータ」という）から取得した画像データを、孔版印刷用のマスタに書き込める形態に変換し、その変換画像データを変換画像データ記録手段（例えば画像メモリ）に記憶・記録し、その記録された変換画像データを呼び出して、製版手段でマスタに加熱・穿孔製版する方法が知られている（例えば、特許文献２参照）。
【０００６】
前述したように変換画像データ記録手段に変換画像データを記録しておくと、使用者にとっては、記録している変換画像データをそのまま利用したり、あるいはさらに画像処理加工を施して利用できたり、その記録手段に記録された変換画像データを、好きな時に呼び出し、好きな時に製版し、印刷できるという利点があった。
けれども、変換画像データ記録手段に記録された変換画像データは、使用者本人以外の者が任意に使用できるため、その変換画像データに第三者に知られては困る機密情報が含まれている場合に、情報漏れに繋がり機密保持できないという不具合があった。
【０００７】
この不具合に対しては、電子写真方式の画像形成装置の技術分野において、例えば特開２００３−１２５１８４号公報（特許文献３）で開示されているように、次の画像データを取り込む指示、あるいは動作がなされた場合に、それ以前に記録されている画像データを消去する方法が知られている。
【０００８】
【特許文献１】特許第３５６６３６７号公報
【特許文献２】特許第３４００７６３号公報
【特許文献３】特開２００３−１２５１８４号公報
【発明の開示】
【発明が解決しようとする課題】
【０００９】
しかしながら、特開２００３−１２５１８４号公報記載の方法は、電子写真（ＰＰＣ）においては、有効であるが、電子写真（ＰＰＣ）と異なり、版を作成・使用する孔版印刷機においては、以下に挙げる不十分な点がある。
孔版印刷機において、上記のようにして画像データ取得後、製版→給版→版付け印刷→印刷と一連の動作が何の問題も無く終了する場合には、特開２００３−１２５１８４号公報に記載されているような「機密モード」が設定されていると、変換画像データ記録手段に記録している変換画像データは、次の変換画像データを取り込む指示、あるいは動作がなされなければ、記録手段に記録している画像データは、取り出し、製版または製版・印刷することは確かにできない。しかし、例えば、版付け印刷が給紙不良などの原因で失敗した場合、ジャム紙を除去し、版付け印刷から再度開始するが、この時点では、印刷動作まで終了していないため、変換画像データ記録手段には変換画像データが消去されずに残っており、再度製版が可能となってしまう。このような場合に、例えば悪意を持った第三者が別な印刷ドラムを入れ替えて製版を行うと、製版が可能であるので機密情報を有する画像データを取得できてしまう。
【００１０】
さらに具体的に説明すると、製版スタート後に、使用者が孔版印刷機の前から何らかの所用でいなくなった場合、または別室でＰＣ（パーソナルコンピュータ）よりネットワークを介して印刷を行った場合等では、悪意を持った第三者が版付け用紙をわざと・故意にジャムさせたり、版付けで停止させて印刷を止めたりした場合などでは、機密情報を有する画像データに基づいて製版を行い、その製版済みのマスタを別な印刷ドラムに給版・巻装させることで、機密情報を有する画像データを得ることが可能となってしまう。このように、版をつくる孔版印刷機においては、特開２００３−１２５１８４号公報で開示されているような機密保持条件では一部不適切な問題点を生じてしまう。
そこで、本発明は、前述した事情に鑑みてなされたものであって、上記問題点を解決して、すなわち機密情報を有する取得した画像データを一旦、マスタに書き込める形態に変換し、その変換画像データを変換画像データ記録手段に記録・記憶することでの利点を残しつつ、変換画像データ記録手段には不要な変換画像データを残さないようにすることで、簡単に機密保持を行うことのできる孔版印刷装置を提供することを主な目的としている。その他、後述の実施形態等に記載の利点・効果を得ることも目的としている。
【課題を解決するための手段】
【００１１】
本発明は、前述した課題を解決して前記目的を達成するために、請求項ごとの発明においては以下の発明特定事項（以下、「構成」という）を採用していることを特徴とするものである。
請求項１記載の発明は、取得した画像データを孔版印刷用に変換処理を施す画像処理手段と、該画像処理手段により孔版印刷用に変換処理された変換画像データを記録する変換画像データ記録手段と、該変換画像データ記録手段に記録された変換画像データに基づいてマスタを製版する製版手段と、製版済みのマスタをその外周面に巻装し該外周面上の製版済みのマスタにインキが供給される印刷ドラムと、製版済みのマスタを前記外周面上へ着版させる給版手段とを具備する孔版印刷装置において、前記製版手段により前記変換画像データに基づいてマスタを穿孔製版した後、前記変換画像データ記録手段に記録している前記変換画像データを消去する機密保持モードが実行可能であることを特徴とする。
【００１２】
請求項２記載の発明は、取得した画像データを孔版印刷用に変換処理を施す画像処理手段と、該画像処理手段により孔版印刷用に変換処理された変換画像データを記録する変換画像データ記録手段と、該変換画像データ記録手段に記録された変換画像データに基づいてマスタを製版する製版手段と、製版済みのマスタをその外周面に巻装し該外周面上の製版済みのマスタにインキが供給される印刷ドラムと、製版済みのマスタを前記外周面上へ着版させる給版手段と、製版済みのマスタが前記外周面上に着版したか否かを検知する着版検知手段とを具備する孔版印刷装置において、前記製版手段により前記変換画像データに基づいてマスタを穿孔製版し、前記給版手段により前記外周面上へ製版済みのマスタを着版させ、前記着版検知手段により着版終了を検知した後に、前記変換画像データ記録手段に記録している前記変換画像データを消去する機密保持モードが実行可能であることを特徴とする。
【００１３】
請求項３記載の発明は、請求項１記載の孔版印刷装置において、前記機密保持モードを実行するか否かを選択可能に構成したことを特徴とする。
請求項４記載の発明は、請求項１または３記載の孔版印刷装置において、前記機密保持モードを実行するか否かを選択・設定するモード選択設定手段を有することを特徴とする。
【００１４】
請求項５記載の発明は、請求項２記載の孔版印刷装置において、前記機密保持モードを実行するか否かを選択可能に構成したことを特徴とする。
請求項６記載の発明は、請求項２または５記載の孔版印刷装置において、前記機密保持モードを実行するか否かを選択・設定するモード選択設定手段を有することを特徴とする。
【００１５】
請求項７記載の発明は、取得した画像データを孔版印刷用に変換処理を施す画像処理手段と、該画像処理手段により孔版印刷用に変換処理された変換画像データを記録する変換画像データ記録手段と、該変換画像データ記録手段に記録された変換画像データに基づいてマスタを製版する製版手段と、製版済みのマスタをその外周面に巻装し該外周面上の製版済みのマスタにインキが供給される印刷ドラムと、製版済みのマスタを前記外周面上へ着版させる給版手段と、製版済みのマスタが前記外周面上に着版したか否かを検知する着版検知手段とを具備する孔版印刷装置において、前記製版手段により前記変換画像データに基づいてマスタを穿孔製版し、前記給版手段により前記外周面上へ製版済みのマスタを着版させる際に、前記着版検知手段により着版不良を検知した場合に、前記変換画像データ記録手段に記録している前記変換画像データを消去せず、前記着版不良処理終了後におけるリカバリ製版を行うときに、前記製版手段により前記変換画像データに基づいてマスタを穿孔製版するように構成したことを特徴とする。
【００１６】
請求項８記載の発明は、請求項７記載の孔版印刷装置において、前記リカバリ製版を行うときに、前記変換画像データ記録手段に記録している前記変換画像データを使用するか否かを選択可能に構成したことを特徴とする。
請求項９記載の発明は、請求項７または８記載の孔版印刷装置において、前記リカバリ製版を行うときに、前記変換画像データ記録手段に記録している前記変換画像データを使用するか否かを選択・設定する選択設定手段を有することを特徴とする。
【００１７】
請求項１０記載の発明は、請求項７、８または９記載の孔版印刷装置において、前記変換画像データ記録手段に記録している前記変換画像データを使用して前記リカバリ製版を行うための第１のコードを生成する第１のコード生成手段と、第１のコードと同一の第２のコードを生成することが可能な第２のコード生成手段と、第２のコード生成手段からの第２のコードが第１のコード生成手段からの第１のコードと同一であるとき、前記リカバリ製版を行うように前記製版手段を制御する制御手段とを有することを特徴とする。
【００１８】
請求項１１記載の発明は、請求項１ないし１０の何れか一つに記載の孔版印刷装置と通信可能に接続されたコンピュータとで構成され、該コンピュータからの信号に基づいて前記孔版印刷装置が作動する孔版印刷装置ネットワークシステムであって、前記コンピュータから請求項１ないし１０の何れか一つに記載の画像処理手段に、取得すべき画像データを送信することを特徴とする。
【発明の効果】
【００１９】
以上述べたように、本発明によれば、前述したような従来技術の有する諸問題点を解決して新規な孔版印刷装置および孔版印刷装置ネットワークシステムを提供することができる。発明の効果を挙げれば次のとおりである。
本発明によれば、画像処理手段により孔版印刷用に変換処理された変換画像データを変換画像データ記録手段に記録し、その変換画像データに基づいて製版手段によってマスタを穿孔製版した後、変換画像データ記録手段に記録されている製版に使用した変換画像データを消去するという、本発明に特有の機密保持モードが実行可能であることにより、第三者によって変換画像データ記録手段から該変換画像データを呼び出され、製版・印刷されることがないので、機密保持を行うことができる（請求項１）。
【００２０】
本発明によれば、画像処理手段により孔版印刷用に変換処理された変換画像データを変換画像データ記録手段に記録し、その変換画像データに基づいて製版手段によってマスタを穿孔製版した後、給版手段によって印刷ドラムの外周面上へ製版済みのマスタを着版させ、着版検知手段によってその着版終了を検知した後に、変換画像データ記録手段に記録されている製版に使用した変換画像データを消去するという、本発明に特有の機密保持モードが実行可能であることにより、第三者によって変換画像データ記録手段から該変換画像データを呼び出され、製版・印刷されることがないので、機密保持を行うことができるだけでなく、製版中ないし製版後の給版・着版でトラブルが発生した場合には、該当する変換画像データを変換画像データ記録手段に残すことができる（請求項２）。
【００２１】
本発明によれば、前記機密保持モードを実行するか否かを選択可能に構成したので、機密保持が必要な場合は、変換画像データ記録手段に記録している変換画像データを消去し、機密上問題が無い場合には、消去せず、後日該当する変換画像データを利用することができる（請求項３）。
【００２２】
発明によれば、前記機密保持モードを実行するか否かを選択・設定するモード選択設定手段を有することにより、機密保持が必要な場合は、変換画像データ記録手段に記録している変換画像データを消去し、機密上問題が無い場合には、消去せず、後日該当する変換画像データを利用することができる（請求項４）。
【００２３】
発明によれば、前記機密保持モードを実行するか否かを選択可能に構成したので、機密保持が必要な場合は、変換画像データ記録手段に記録している変換画像データを消去し、機密上問題が無い場合には、消去せず、後日該当する変換画像データを利用することができる（講求項５）。
【００２４】
発明によれば、前記機密保持モードを実行するか否かを選択・設定するモード選択設定手段を有することにより、機密保持が必要な場合は、変換画像データ記録手段に記録している変換画像データを消去し、機密上問題が無い場合には、消去せず、後日該当する変換画像データを利用することができる（請求項６）
【００２５】
本発明によれば、画像処理手段により孔版印刷用に変換処理された変換画像データを変換画像データ記録手段に記録し、その変換画像データに基づいて製版手段によってマスタを穿孔製版した後、給版手段によって印刷ドラムの外周面上へ製版済みのマスタを着版させた際に、例えばマスタの搬送不良やクランプミスに伴うマスタのジャム等の原因で着版検知手段によって着版不良を検知した場合には、変換画像データ記録手段に記録している変換画像データを消去せず、着版不良処理終了後（例えばマスタのジャム処理終了後）におけるリカバリ製版を行うときに、変換画像データ記録手段に記録している変換画像データに基づいて、製版手段によってマスタを穿孔製版することができるので、再度画像データを取り込み、その画像データを画像処理手段により孔版印刷用に変換処理を施し、変換画像データとして変換画像データ記録手段へ記録する必要が無く、そのための手間や時間を節約することができる（請求項７）。
【００２６】
本発明によれば、前記リカバリ製版を行うときに、変換画像データ記録手段に記録している変換画像データを使用するか否かを選択可能に構成したので、例えばマスタのジャムやクランプミス等の原因により正常に印刷物が得られなかった原稿の画像については、そのままリカバリで製版し印刷もできるが、例えばリカバリ製版を中止して、別な画像データを用いて製版し印刷することも可能なので、使用者の選択の自由度を増やすことができる（請求項８）。
【００２７】
本発明によれば、前記リカバリ製版を行うときに、変換画像データ記録手段に記録している変換画像データを使用するか否かを選択・設定する選択設定手段を有するので、機密保持が必要な場合は、変換画像データ記録手段に記録している変換画像データを消去し、機密上問題が無い場合には、消去せず、後日該当する変換画像データを利用することができる（請求項９）。
【００２８】
本発明によれば、制御手段は、変換画像データ記録手段に記録している変換画像データを使用してリカバリ製版を行うための記録手段に記録されている第１のコードと、第２のコード生成手段により生成された第２のコードとが同一であるとき、リカバリ製版を行うように製版手段を制御するので、始めてリカバリ製版を行うことができ、より確実に機密保持を図れる（請求項１０）。
【００２９】
本発明によれば、孔版印刷装置と通信可能に接続されたコンピュータとで構成され、該コンピュータからの信号に基づいて孔版印刷装置が作動する孔版印刷装置ネットワークシステムにおいても、孔版印刷装置の画像処理手段に、取得すべき画像データを送信することにより、前述の各効果を奏する（請求項１１）。
【発明を実施するための最良の形態】
【００３０】
以下、図を参照して発明を実施するための最良の形態や実施例等を含む本発明の実施の形態（以下、「実施形態」という）を説明する。各実施形態や各変形例等に亘り、同一の機能および形状等を有する部材や構成部品等の構成要素については、一度説明した後では同一符号を付すことによりその説明を省略する。図において一対で構成されていて特別に区別して説明する必要がない構成要素は、説明の簡明化を図る上から、その片方を適宜記載することでその説明に代えるものとする。図および説明の簡明化を図るため、図に表されるべき構成要素であっても、その図において特別に説明する必要がない構成要素は適宜断わりなく省略することがある。公開特許公報等の構成要素を引用して説明する場合は、その符号に括弧を付して示し、各実施形態等のそれと区別するものとする。
【００３１】
まず、図１を参照して、本発明の一実施形態を示す製版印刷一体型かつデジタル感熱式の孔版印刷装置１の全体構成を簡単に説明する。図１において、符号２は、孔版印刷装置１の骨組みをなす孔版印刷装置本体を示す。
この孔版印刷装置１は、本願出願人が提案した特開２００４−９３２０号公報の図１に示した孔版印刷装置（１）と比較して、着版検知センサ７３を付設した点、前記同公報の図８に示した操作パネル（９０）に代えて、後述する新たな構成を付加した操作パネル８５を用いる点、および前記同公報の図９に示した制御構成に代えて、後述する図７等に示す新たな制御に係る構成を付加された制御構成を用いる点が主に相違するものである。
【００３２】
孔版印刷装置１は、図１に示すように、同図１の右側上方に配置されロール状に巻かれたマスタ８ａを製版し移送する製版手段４、後述する切断手段５、マスタ搬送手段６およびマスタ送り出し手段７等を具備した製版・給版装置とも呼ばれる製版書込装置３と、孔版印刷装置本体２の上部に配置され原稿載置台１０上から自動的に移送される原稿２０の画像を読み取る原稿読取装置９と、図１における略中央部に配置され製版済みのマスタ８ｂを外周面に巻装する版胴を外周部に備えた印刷ドラム３３およびこの印刷ドラム３３の前記版胴外周面（以下、単に「印刷ドラム３３の外周面」という）に対して接離自在であり該印刷ドラム３３上の製版済みのマスタ８ｂに用紙Ｐを押し付ける押圧手段としてのプレスローラ５４等を有する給版・ドラム装置３２と、製版書込装置３の下方に配置され給紙台としての給紙トレイ４８上の用紙Ｐを印刷ドラム３３とプレスローラ５４との間に向けて給送する給紙装置４７と、印刷ドラム３３を挟んで製版書込装置３に対向して配置され印刷ドラム３３上の使用済みのマスタ８ｃを剥離・排版する排版装置６２と、この排版装置６２の下方に配置され印刷された用紙Ｐを印刷ドラム３３から剥離して排紙台としての排紙トレイ６１に排出する排紙装置５６と、前記各装置に指示を与えて所望する動作を行わせるように操作したり、前記各装置の状態を報知するための図２等に示す操作パネル８５と、図７に示す制御装置１００とから主に構成されている。
【００３３】
孔版印刷装置１の全体構成は、後で動作と共に随時補足説明するとおり、図２に示す操作パネル８５および図１および図７に示す制御装置１００における本発明の特有の構成を除き、全て周知のものである。それ故に、本実施形態では、従来の制御装置の制御構成を少し変更するというだけで、前述および後述する利点・効果を奏するものである。従って、制御装置１００を除き、前記各装置構成に代えて、現在まで周知で同様の機能を有する装置構成で置き換えても勿論構わない。
【００３４】
製版書込装置３は、図１において矢印で示すマスタ搬送方向Ｘ１の上流側から下流側に配設された順に、マスタ８ａをマスタ搬送方向Ｘ１に繰り出し可能に支持するマスタ支持手段としてのマスタ支持部材２１と、繰り出されたマスタ８ａを画像情報に応じて加熱製版するための、製版手段４を構成するサーマルヘッド２２と、サーマルヘッド２２にマスタ８ａを押圧しながらマスタ搬送方向Ｘ１下流側にマスタ８ａを回転しながら搬送するための、製版手段４を構成するプラテンローラ２３と、製版手段４とマスタ搬送手段６との間に配設され製版済みのマスタ８ｂまたは未製版のマスタ８ａを所定の長さに切断する切断手段５と、プラテンローラ２３により搬送されてきたマスタ８ａを適度の張力を付与しながらさらにマスタ搬送方向Ｘ１下流側に搬送するマスタ搬送手段６と、マスタ搬送手段６とマスタ送り出し手段７との間に配設されマスタ搬送手段６により搬送されてきたマスタ８ａをマスタ送り出し手段７に案内するガイド板２９と、プラテンローラ２３およびマスタ搬送手段６により搬送されてきたマスタ８ａを後述するように印刷ドラム３３上の拡開したクランパ３５に向けて送り出すマスタ送り出し手段７と、マスタ送り出し手段７により送り出されたマスタ８ａの先端を後述するように印刷ドラム３３上の拡開したクランパ３５に案内する一対のマスタガイド板２８とを具備している。
【００３５】
マスタ８ａは、連続シート状をなし、例えば合成樹脂製のロール芯８ｄに巻き付けられてマスタロール８が形成される。ロール芯８ｄは、マスタロール８の両端面から突出していてマスタ８ａの幅よりも長く形成されている。マスタロール８は、両端側のロール芯８ｄがマスタ支持部材２１により反時計回りに回転自在に支持されていて、マスタ支持部材２１に対して着脱自在となっている。両端側のマスタ支持部材２１は、製版書込装置３におけるマスタ搬送方向Ｘ１に沿ってその左右両側に固設されている図示しない製版側板対に取り付け固定されている。従って、マスタ８ａは、マスタ支持部材２１によって、マスタロール８からマスタ搬送方向Ｘ１に繰り出し可能に支持されている。
マスタ８ａは、例えば厚さが１〜５μｍの熱可塑性樹脂フィルムと、合成繊維等からなる多孔質支持体とを貼り合わせたラミネート構造をなす。なお、マスタは、これに限らず、例えば和紙繊維、あるいは和紙繊維および合成繊維を混抄したもの等からなる多孔質支持体と熱可塑性樹脂フィルムとを貼り合わせたものや、いわゆる実質的に熱可塑性樹脂フィルムのみからなるマスタ等も用いられる。
【００３６】
サーマルヘッド２２は、プラテンローラ２３の軸と図１の紙面の手前側および奥側に平行に延在して設けられていて、図示しないカムおよび付勢手段としてのバネ部材等を備えた接離手段（図示せず）により、マスタ８ａを介してプラテンローラ２３に接離自在となっている。サーマルヘッド２２は、前記バネ部材によりプラテンローラ２３に接触する向きに付勢されている。サーマルヘッド２２の主走査方向には、プラテンローラ２３にマスタ８ａを介して当接する部位に多数の発熱素子（図示せず）が配設されている。サーマルヘッド２２は、図７に示すように、原稿読取装置９に配設されている画像読取手段としての密着イメージセンサ（以下、「ＣＩＳ」と略記するときがある）１４、Ａ／Ｄ変換装置４３、画像信号処理装置４４を介して画像メモリ４５に記録された変換画像データが再び画像信号処理装置４４を経て、制御装置１００内に配設されている図示しない製版制御部およびサーマルヘッド駆動回路を備えた製版部駆動回路８１で処理されて送出される２値のデジタル画像信号に基づき、前記発熱素子を選択的に加熱することにより、マスタ８ａの熱可塑性樹脂フィルム部分を選択的に加熱溶融して穿孔製版を行い、製版済みのマスタ８ｂを形成する。
プラテンローラ２３は、その軸の両端部が前記製版側板対に回転可能に支持されていることにより、時計回りに回転自在となっている。プラテンローラ２３は、タイミングベルトやギヤ等の回転伝達手段（図示せず）を介して駆動手段としての、例えばパルス入力で駆動するモータである第１のステッピングモータ２３Ａに連結され、これにより時計回りに回転駆動され、マスタ８ａをサーマルヘッド２２に押圧しつつマスタ搬送方向Ｘ１の下流側へと搬送する。
前記のとおり、プラテンローラ２３が第１のステッピングモータ２３Ａにより時計回りに回転駆動されることにより、マスタ８ａはマスタロール８から引き出されることとなる。
【００３７】
切断手段５は、可動刃２４、固定刃２５からなる。この切断手段５は、カッタモータ２４Ａの駆動により、可動刃２４がマスタ搬送方向Ｘ１と直行するマスタ幅方向（図１の紙面の奥側から手前側）に回転しながら移動して未製版のマスタ８ａや製版済みのマスタ８ｂを切断する可動刃回転移動タイプのものである。
なお、切断手段５は、前記可動刃回転移動タイプのものに限らず、可動刃が昇降するいわゆるギロチンタイプのもの等を用いてもよい。
【００３８】
マスタ搬送手段６は、搬送駆動ローラ３０と搬送従動ローラ３１とから構成されている。搬送駆動ローラ３０および搬送従動ローラ３１は、バネ等の付勢手段により適度な押圧力を与えられて互いに圧接して設けられていて、各ローラ軸の両端部が前記製版側板対に回転自在に支持されていることにより互いに反対方向に回転自在となっている。搬送駆動ローラ３０は、例えばタイミングベルトやギヤ等の回転伝達手段（図示せず）を介して、第１のステッピングモータ２３Ａに連結されていて、第１のステッピングモータ２３Ａにより回転駆動される。搬送従動ローラ３１は、搬送駆動ローラ３０と連れ回り、従動回転する。
搬送駆動ローラ３０は、第１のステッピングモータ２３Ａを含む前記回転伝達手段によって、プラテンローラ２３の周速度（搬送速度）よりもわずかに速い周速度（搬送速度）で回転するように設定されていて、マスタ８ａとの間で滑りながら適度のフロントテンションをマスタ８ａに付与するようになっている。
【００３９】
マスタ送り出し手段７は、送り出し駆動ローラ２６と送り出し従動ローラ２７とから構成されている。送り出し駆動ローラ２６および送り出し従動ローラ２７も、前記各ローラ３０，３１と同様にバネ等の付勢手段により適度な押圧力を与えられて互いに圧接して設けられていて、各ローラ軸の両端部が前記製版側板対に回転自在に支持されていることにより互いに反対方向に回転自在となっている。送り出し駆動ローラ２６は、図示しない駆動手段としての例えばタイミングベルトやギヤ等の回転伝達手段（図示せず）を介して、例えばパルス入力で駆動するモータとしての第１のステッピングモータ２３Ａとは別の第２のステッピングモータ２６Ａに連結されていて、第２のステッピングモータ２６Ａにより回転駆動される。送り出し従動ローラ２７は、送り出し駆動ローラ２６と連れ回り、従動回転することにより、製版済みのマスタ８ｂを後述する印刷ドラム３３上の拡開したクランパ３５へと送り出す機能を有する。それ故に、マスタ送り出し手段７は、製版済みのマスタ８ｂを印刷ドラム３３の外周面上へクランパ３５を介して着版させる給版手段としての機能の一部を有する。
送り出しマスタガイド板２８およびガイド板２９は、前記製版側板対に取り付け・固定されている。送り出しマスタガイド板２８は、製版済みのマスタ８ｂを後述する印刷ドラム３３上の拡開したクランパ３５へと案内する機能を有する。
【００４０】
プラテンローラ２３とマスタ搬送手段６との間、およびマスタ搬送手段６とマスタ送り出し手段７との間のマスタ搬送路上には、搬送されてくるマスタ８ａの先端等を検知するためのマスタ検知手段がそれぞれ配設されている。これらのマスタ検知手段としては、例えば本願出願人が提案した特開平９−２２６０８８号公報の図１等に記載されている反射型の光学センサからなるマスタ先端検知センサ（６３（６３Ｂ，６３Ｃ））と同様であり、前記各マスタ搬送路上でマスタ搬送ジャム等で滞留しているマスタ８ａを検出するための機能も有する。
【００４１】
図７において、製版書込装置３の主な駆動回路としては、製版書込装置３の制御対象駆動手段であるサーマルヘッド２２を駆動する前記サーマルヘッド駆動回路等を備えた製版部駆動回路７４と、同制御対象駆動手段であるカッタモータ２４Ａを駆動するカッタ駆動回路８２と、同制御対象駆動手段である第１のステッピングモータ２３Ａおよび第２のステッピングモータ２６Ａを駆動するマスタ搬送部駆動回路８３とが設けられている。
【００４２】
原稿読取装置９は、図１において矢印で示す原稿搬送方向Ｘ２の上流側から下流側に配設された順に、複数枚の原稿２０を載置するための原稿載置台１０と、原稿載置台１０上に載置・セットされた原稿２０を原稿搬送方向Ｘ２に搬送する原稿搬送手段を構成する原稿搬送ローラ１１および原稿搬送コロ１２と、前記原稿搬送手段と後述する画像読取部１９との間に設けられ原稿搬送ローラ１１および原稿搬送コロ１２により搬送されてきた原稿２０先端を検知する原稿検知手段としての原稿先端検知センサ１３と、原稿搬送ローラ１１および原稿搬送コロ１２により搬送されてきた原稿２０の画像を読み取るための画像読取手段としての密着イメージセンサ（以下、「ＣＩＳ」と略記する)１４を備えた画像読取部１９と、原稿搬送路を挟んでＣＩＳ１４の上方に配置された圧板(白基準板)１５と、画像が読み取られた原稿２０をさらに原稿搬送方向Ｘ２に搬送・排出する原稿排紙ローラ１６および原稿排紙コロ１７と、排出されてきた原稿２０を載置・積載する原稿受け台１８とを具備している。
【００４３】
原稿載置台１０の紙面の奥側および手前側には、原稿載置台１０上に積載された原稿２０の両側端を揃えるための図示しない一対のサイドフェンスが原稿搬送方向Ｘ２と直交する原稿幅方向に移動可能に配設されている。原稿載置台１０と、原稿搬送ローラ１１と原稿搬送コロ１２とが圧接することにより形成されたニップ部と、前記サイドフェンス対とで、上下方向、原稿搬送方向Ｘ２および前記原稿幅方向に原稿２０を３次元的に位置決め・セットするための原稿セット部が構成されている。
原稿搬送ローラ１１および原稿搬送コロ１２は、バネ等の付勢手段により適度な押圧力を与えられて互いに圧接して設けられていて、各ローラ軸の両端部が原稿読取装置９における原稿搬送方向Ｘ２に沿ってその左右両側に固設されている図示しない読取側板対に回転自在に支持されていることにより、互いに反対方向に回転自在となっている。原稿搬送ローラ１１は、例えばタイミングベルトやギヤ等の回転伝達手段（図示せず）を介して原稿搬送ローラ用のステッピングモータ１１Ａに連結されていて、ステッピングモータ１１Ａにより回転駆動される。原稿搬送コロ１２は、原稿搬送ローラ１１と連れ回り、従動回転する。
【００４４】
原稿先端検知センサ１３は、反射型の光学センサからなる。ＣＩＳ１４において上向き矢印で示す位置は、原稿搬送ローラ１１および原稿搬送コロ１２により搬送されてきた原稿２０の画像を前記位置で読取り開始するための読取位置１４Ａを示す。圧板(白基準板)１５は、光学的な補正を行う機能を有する。
画像読取手段は、ＣＩＳ１４に限らず、例えばＣＣＤ等の光電変換素子からなる画像センサであってもよい。
原稿排紙ローラ１６および原稿排紙コロ１７は、バネ等の付勢手段により適度な押圧力を与えられて互いに圧接して設けられていて、各ローラ軸の両端部が前記読取側板対に回転自在に支持されていることにより互いに反対方向に回転自在となっている。原稿排紙ローラ１６は、例えばタイミングベルトやギヤ等の回転伝達手段（図示せず）を介して、パルス入力で駆動するモータとしての原稿搬送ローラ用のステッピングモータ１１Ａに連結されていて、ステッピングモータ１１Ａにより回転駆動される。原稿排紙コロ１７は、原稿排紙ローラ１６と連れ回り、従動回転する。
【００４５】
図７において、原稿読取装置９の主な駆動回路としては、原稿読取装置９の制御対象駆動手段であるステッピングモータ１１Ａを駆動するステッピングモータ駆動回路とＣＩＳ１４を駆動する駆動回路とが設けられており、これらを総称して読取部駆動回路７４とする。
【００４６】
給版・ドラム装置３２は、前記した印刷ドラム３３と、マスタ送り手段７によって送り出されてきた製版済みのマスタ８ｂの先端部を挟持・係止する係止手段としてのクランパ３５と、印刷ドラム３３の内部に配設され該印刷ドラム３３の内周側から印刷ドラム３３上の製版済みのマスタ８ｂにインキを供給するインキ供給手段３６と、前記したプレスローラ５４とを具備している。
【００４７】
印刷ドラム３３の外周部は、多孔性で円筒状の版胴とも呼ばれる支持円筒体と、その支持円筒体の外周を覆うように複数層巻き付けられた樹脂あるいは金属網体製のメッシュスクリーン（図示せず）との２層構造からなる。印刷ドラム３３は、インキ通過性の多数の開孔が開けられた印刷可能な開口部と、クランパ３５等が設けられていて非印刷可能な非開口部とが、図１中矢印で示す印刷ドラム３３の回転方向に沿って形成されている。
印刷ドラム３３の前記外周部は、図示しない両側の端板フランジの外周部に巻着・固定されていて、後述するインキパイプ３４を兼ねる支軸３４の周りに回転自在に支持されている。支軸３４は、図１の紙面の奥側および手前側において孔版印刷装置本体２に固設された図示しない一対の筐体側板に着脱可能に支持されている。印刷ドラム３３は、図示しないギヤやベルト等の駆動伝達手段を介して駆動手段としての例えばメインモータ４０に連結されていて、メインモータ４０により図１中矢印で示す時計回りに回転駆動される。メインモータ４０としては、例えば制御用のＤＣモータが使用される。
【００４８】
印刷ドラム３３の内部には、支軸３４に固定された図示しない側板に回転自在に支持されていて、図示しないギヤ等の駆動伝達手段によりメインモータ４０の回転駆動力が伝達されて印刷ドラム３３と同期して図１中時計回りに回転駆動され、印刷ドラム３３の前記支持円筒体内周面（以下、「印刷ドラム３３の内周面」という）に接触してインキを供給するインキローラ３７と、インキローラ３７とわずかな間隙を置いて平行に配置されインキローラ３７との間に断面楔状のインキ溜まり３９を形成するドクターローラ３８と、インキ溜まり３９へインキを供給するインキパイプ３４とが配置されている。前記のとおり、インキ供給手段３６は、インキローラ３７、ドクターローラ３８およびインキパイプ３４から主に構成されている。
インキ溜まり３９のインキは、印刷ドラム３３の外部に設けられた図示しないインキパック等より図示しないインキポンプで吸引され、インキパイプ３４の供給孔より供給されて混練される。インキ溜まり３９のインキは、ドクターローラ３８により計量されながらインキローラ３７の外周面上に薄膜状に供給され、さらにインキローラ３７の外周面が印刷ドラム３３の内周面に接触することにより印刷ドラム３３の前記開口部部分に供給される。
インキ溜まり３９形成部の上方には、インキ溜まり３９のインキの有無（適正量のインキ）を検知するための静電容量型のインキ検知針（図示せず）およびこれに接続されて構成された図７にのみ示す周知のインキ検知センサ１１１が配設されている。
【００４９】
印刷ドラム３３の前記非開口部外周面上の一部分には、印刷ドラム３３の一つの母線に沿って設けられた強磁性体製のステージ（図示せず）と、このステージの両側端に設けられた軸３５ａに回動自在に取り付けられ、前記ステージの平面部に対して開閉自在なゴム磁石を有するクランパ３５とがそれぞれ設けられている。クランパ３５は、孔版印刷装置本体２側の前記筐体側板に設けられクランパ３５を開閉駆動する図示しないクランパモータを備えた開閉手段（共に図示せず）により印刷ドラム３３の所定の回転位置において開閉される。印刷ドラム３３は、クランパ３５が図１に示す略右横に位置する状態、すなわち給版待機位置において停止するようになっている。
前記開閉手段の具体例としては、クランパ３５に選択的に係合する開閉部材（図示せず）およびこの開閉部材を駆動するクランパモータ（１８）等を備えた、例えば特開平６−２４７０３１号公報の図１ないし図３に示されている構成と同様のものが挙げられる。
【００５０】
印刷ドラム３３の紙面奥側の端板フランジ外周には、支軸３４と平行に突出した図示しない遮光板が固着されている。前記筐体側板の不動部材には、前記遮光板と選択的に係合することにより印刷ドラム３３のホームポジション（図１に示す排版待機位置）を検知するための透過型の光学センサからなるホームポジションセンサ（図示せず）が配設されている。加えて、前記端板フランジには、印刷ドラム３３の回転角度（位相）および回転速度を検知するためのエンコーダ（図示せず）が固着されている。前記筐体側板の不動部材には、前記エンコーダの外周部を挟み付ける状態で透過型の光学センサからなる図示しないエンコーダセンサが配設されている。前記ホームポジションセンサおよび前記エンコーダセンサは、印刷ドラム３３の回転位置を検出する図７のみに示す回転位置検出手段１１５を構成している。
【００５１】
印刷ドラム３３外周面上の一部分には、該版胴外周面上に巻装される製版済みのマスタ８ｂの有無を検知される、すなわち着版したか否かを検知される被検知手段・部材としてのセンサ反応部材（図示せず）が設置されている。センサ反応部材としては、例えば特許第２９０１０８２号（特開平３−１９３３５１号）公報等で開示されている技術と同様に、光吸収部材としての黒色のセンサパターンが用いられる。
一方、排版装置６２における印刷ドラム３３寄りの下方近傍であって、前記版胴外周面上のセンサ反応部材（図示せず）と対向する位置には、製版済みのマスタ８ｂが前記版胴外周面上に着版したか否かを検知する着版検知手段としての着版検知センサ７３が配置されている。着版検知センサ７３は、例えば特許第２９０１０８２号（特開平３−１９３３５１号）公報等で開示されている技術と同様に、光を反射する表面（熱可塑性樹脂フイルムの表面）を有する製版済みのマスタ８ｂの表面で光を反射させる発光手段しての発光素子と、製版済みのマスタ８ｂの表面からの反射光を受光する受光手段としての受光素子とを有し、前記受光素子による受光量によって前記黒色のセンサパターン上の製版済みのマスタ８ｂの有無を検知する公知のものである。
【００５２】
プレスローラ５４は、金属製のプレスローラ軸に耐油性を有するゴム等の弾性体を一体的に固着して構成されており、印刷ドラム３３の軸方向に延在して設けられている。プレスローラ５４は、その横幅が印刷ドラム３３の横幅と略同じ長さとなるように形成されている。プレスローラ５４は、紙面の手前側および奥側において略同様の形状および同一の位相をもって配設された一対の印圧アーム（図示せず）の一端部に回転自在に支持されている。前記印圧アーム対は、前記筐体側板対に所定角度回動自在に支持された印圧アーム軸（図示せず）に固着されていて、図示しない接離手段で揺動される。
プレスローラ５４は、前記接離手段によって、印刷ドラム３３の外周面に圧接する印刷位置とこの印刷位置から離れた非印刷位置との間で変位される。前記接離手段は、印刷ドラム３３の回転と同期して回転する印圧カムおよび付勢手段としての引張バネ等（図示せず）を備えた周知の構成を具備している。
【００５３】
前述したとおり、製版済みのマスタ８ｂを印刷ドラム３３の外周面に巻装する給版手段は、前記したマスタ送り出し手段７、これを駆動する第２のステッピングモータ２６Ａ、クランパ３５を備えた印刷ドラム３３、これらをそれぞれ駆動する前記クランパモータ、メインモータ４０から主に構成される。
【００５４】
図７において、給版・ドラム装置３２の主な駆動回路としては、給版・ドラム装置３２の制御対象駆動手段である第２のステッピングモータ２６Ａを駆動するステッピングモータ駆動回路（図示せず）と、同制御対象駆動手段であるメインモータ４０を駆動するモータ駆動回路（図示せず）と、同制御対象駆動手段である前記クランパモータを駆動するモータ駆動回路（図示せず）とが設けられており、これらを総括的に印刷部駆動回路７９とする。
【００５５】
給紙装置４７は、用紙Ｐを繰り出し可能に積載して昇降自在な前記した給紙トレイ４８と、給紙トレイ４８上に積載された用紙Ｐに接触して１枚ずつ分離してレジストローラ対５１のニップ部に向けて給送する給紙手段４６と、給紙手段４６により搬送されてきた１枚の用紙Ｐの先端を受け止めその先端部に所定のたわみを形成した後、印刷ドラム３３とプレスローラ５４との間にタイミングを取って給送するレジスト手段としてのレジストローラ対５１と、分離ローラ５０とレジストローラ対５１との間に用紙搬送路を形成すべく設けられ給紙ローラ４９および分離ローラ５０やレジストローラ対５１により給送された用紙Ｐを用紙搬送方向Ｘに案内する案内手段としての上下一対のガイド板５２，５３とを具備している。
【００５６】
給紙トレイ４８は、給紙トレイ４８を上下動させる図示しない駆動手段としての給紙トレイ昇降モータおよびワイヤ式昇降機構等を備えた駆動装置（図示せず）により、積載された用紙Ｐの最上位が常に給紙ローラ４９に所定の押圧力（用紙Ｐが搬送可能な押圧力）をもって接触するように、すなわち用紙Ｐの増減に連動して用紙Ｐが搬送可能な範囲の押圧力で接触する状態を保持しつつ昇降される。給紙トレイ４８には、用紙サイズに応じて用紙Ｐの両側端を位置決め揃えるための一対のサイドフェンス（図示せず）が用紙幅方向Ｙに移動自在に配設されている。
また、給紙トレイ４８には、前記一対のサイドフェンスの用紙幅方向Ｙへの移動に連動して用紙Ｐの幅サイズを検知する複数の用紙幅検知センサ（例えば透過型の光学センサからなる）および用紙Ｐの用紙搬送方向Ｘの長さサイズを検知するための複数の用紙長さ検知センサ（例えば反射型の光学センサからなる）から構成される複数の用紙サイズ検知センサ１１０が配設されている。
【００５７】
給紙手段４６は、給紙トレイ４８上の最上位の用紙Ｐに接触してレジストローラ対５１のニップ部に向けて用紙Ｐを送り出す給紙ローラ４９と、給紙ローラ４９から送り出された用紙Ｐを分離部材５０Ａとの協働作用により１枚ずつ分離してレジストローラ対５１のニップ部に向けて給送する分離ローラ５０とから構成されている。
給紙ローラ４９は、給紙ローラ軸と一体的に形成されていて、該給紙ローラ軸の一端部が給紙装置４７における用紙搬送方向Ｘの左右（図１の紙面の奥側および手前側）に固設された給紙側板対の一方に回転自在に支持されている。給紙ローラ４９の表面は、少なくともゴム等の高摩擦抵抗部材で形成されている。給紙ローラ軸の一端部には、歯付きの給紙ローラプーリ（図示せず）が取り付けられている。前記給紙ローラ軸と前記給紙ローラプーリとの間には、用紙搬送方向Ｘにのみ用紙Ｐを搬送するように給紙ローラ４９を回転させる、つまり時計回りにのみ回転させるためのワンウェイクラッチ（図示せず）が配設されている。
【００５８】
分離ローラ５０は、分離ローラ軸と一体的に形成されていて、該分離ローラ軸の一端部が給紙側板対の一方に回転自在に支持されている。分離ローラ５０の表面は、少なくともゴム等の高摩擦抵抗部材で形成されている。分離ローラ軸の一端部には、歯付きの分離ローラプーリ（図示せず）が取り付けられている。前記分離ローラ軸と前記分離ローラプーリとの間には、用紙搬送方向Ｘにのみ用紙Ｐを搬送するように給紙ローラ４９を回転させるためのワンウェイクラッチ（図示せず）が配設されている。前記分離ローラプーリと前記給紙ローラプーリとの間には、歯付きのベルトが掛け渡されていて、分離ローラ５０と給紙ローラ４９とは、回転駆動力伝達関係にある。
分離部材５０Ａは、用紙Ｐに対する摩擦係数の高いゴムや樹脂で形成され給紙ローラ４９に当接可能となっている分離パッドと呼ばれる部材を有している。この分離パッドは、付勢手段としての図示しない圧縮バネにより分離ローラ５０に押し付けられる向きに付勢されている。
【００５９】
前記分離ローラプーリの近傍には、分離ローラ５０および給紙ローラ４９を回転駆動する給紙駆動手段としての給紙モータ（図示せず）が前記給紙側板に固定して設けられている。前記給紙モータは、パルス入力で駆動するモータとしての例えばステッピングモータからなり、その出力軸には歯付きの給紙モータプーリ（図示せず）が固設されている。前記分離ローラプーリと前記給紙モータプーリとの間には、歯付きの給紙モータベルト（図示せず）が掛け渡されている。これにより、分離ローラ５０と給紙ローラ４９と前記給紙モータとは、前記給紙モータベルト、前記ベルトおよびを前記各ワンウェイクラッチを介して回転駆動力伝達関係にある。
上側および下側の各ジストローラ５１は、各レジストローラ軸と一体的に形成されていて、各レジストローラ軸の両端部が前記給紙側板対に回転自在に支持されている。下側のレジストローラ軸の一端部には、歯付きのレジストローラプーリ（図示せず）が取り付けられている。
下側のレジストローラ５１は、前記レジストローラ軸を介して、前記給紙側板に移動不能にかつ回転自在に支持されている。上側のレジストローラ５１は、下側のレジストローラ５１に対して所定のタイミングで当接するように図示しないレジストローラ接離手段を介して接離自在に設けられている。
下側のレジストローラ５１の下方には、下側のレジストローラ５１を回転駆動するレジスト駆動手段としてのレジストモータ（図示せず）が前記給紙側板に固定して設けられている。前記レジストモータは、パルス入力で駆動するモータとしての例えばステッピングモータからなり、その出力軸には歯付きのレジストモータプーリ（図示せず）が固設されている。前記レジストローラプーリと前記レジストモータプーリとの間には、歯付きのレジストモータベルト（図示せず）が掛け渡されている。これにより、下側のレジストローラ５１と前記レジストモータとは前記レジストモータベルトを介して回転駆動力伝達関係にある。
ガイド板５２，５３は、孔版印刷装置本体２に配設された給紙側板対に固着されている。
上側のレジストローラ５１寄りのガイド板５２の上方近傍には、レジストローラ５１から用紙Ｐが送り出されたことを検知するための用紙検知センサ１１２が配設されている。用紙検知センサ１１２は、例えば反射型の光学センサからなる。
【００６０】
図７において、給紙装置４７の主な駆動回路としては、給紙装置４７の制御対象駆動手段である前記給紙トレイ昇降モータ、前記給紙モータ、前記レジストモータを駆動する各モータ駆動回路が設けられており、これらを総称して給紙部駆動回路７７とする。
【００６１】
排版装置６２は、上部排版部材６３、下部排版部材６４、排版ボックス６５等を具備している。
上部排版部材６３は、駆動手段としての図示しない排版モータで回転駆動される駆動ローラ６７と従動ローラ６８、および各ローラ６７，６８間に掛け渡された無端ベルトからなるゴムベルト６９とから構成されている。駆動ローラ６７は、排版駆動手段としての図示しない排版モータによって図１の時計回りに回転駆動されることにより、ゴムベルト６９が図１の矢印方向に回転移動する。下部排版部材６４は、駆動ローラ６７と図示しないギヤによって連結され回転駆動される駆動ローラ７０と従動ローラ７１、および各ローラ７０，７１間に掛け渡された無端ベルトからなるゴムベルト７２とから構成されている。駆動ローラ７０は、前記排版モータによって駆動ローラ６７と図示しないギヤを介して回転駆動されることにより、ゴムベルト７２が図１の矢印方向に回転移動する。
下部排版部材６４は、駆動ローラ６７の中心軸を中心に左右方向に移動自在となっており、駆動手段としての周知の移動手段（共に図示せず）で前記した左右方向に移動される。これにより、下部排版部材６４における駆動ローラ７０側のゴムベルト７２は、ゴムベルト６９を介して駆動ローラ６７の外周面に沿って当接しながら移動し、図１に示す位置と印刷ドラム３３の外周面に当接する位置とを選択的に占めることとなる。
下側のゴムベルト６９の駆動ローラ６７寄りには、上部排版部材６３および下部排版部材６４によって使用済みのマスタ８ｃが正常に剥離搬送されているか否かを検知する排版検知センサ１１３が配設されている。排版検知センサ１１３は、例えば反射型の光学センサからなる。
【００６２】
排版ボックス６５は、その内部に使用済みマスタを貯容するものであり、前記筐体側板対に対して着脱自在に設けられている。排版ボックス６５には、上部排版部材６３と下部排版部材６４とによって運ばれた使用済みマスタを排版ボックス６５の内部に押し込むための往復揺動運動タイプの圧縮板６６が設けられている。圧縮板６６は、駆動手段としての正逆転可能な排版圧縮モータ（共に図示せず）により往復揺動される。
前述のとおり、印刷ドラム３３上の使用済みのマスタ８ｃを排版する排版手段は、上部排版部材６３、下部排版部材６４、前記移動手段、前記排版モータから主に構成される。
【００６３】
図７において、排版装置６２の主な駆動回路としては、排版装置６２の制御対象駆動手段である前記排版モータ、前記移動手段、前記排版圧縮モータの各モータ駆動回路が設けられており、これらを総称して排版部駆動回路７５とする。
【００６４】
排紙装置５６は、印刷ドラム３３の外周面に近接自在に設けられ該外周面より印刷済みの用紙を剥離する剥離爪５５と、剥離爪５５で剥離された印刷済みの用紙を吸引しつつ搬送するための排紙搬送手段と、前記した排紙トレイ６１とを具備している。
【００６５】
剥離爪５５は、印刷ドラム３３の外周面にプレスローラ５４が圧接することにより形成される印刷ニップ部における下流近傍に設けられている。剥離爪５５は、印刷ドラム３３の回転と同期して回転駆動されるカムおよびバネ等を具備した周知の剥離爪変位手段（図示せず）により、印刷ドラム３３の外周面に近接して印刷ドラム３３上の製版済みのマスタ８ｂから印刷済みの用紙を強制的に剥離する剥離位置と、この剥離位置から離間して印刷ドラム３３の外周面から突出したクランパ３５配置部との接触を避ける非剥離位置との間で変位自在に構成されている。
【００６６】
前記排紙搬送手段は、従動ローラ５７、駆動ローラ５８、無端ベルト５９、吸引ファン６０等から主に構成されている。
従動ローラ５７と駆動ローラ５８とは、前記筐体側板対に回転自在に支持されており、各ローラ間５７，５８には、表面に複数の開孔を有し用紙幅方向に複数に分割された無端ベルト５９が掛け渡されている。駆動ローラ５８は、駆動手段としての図示しない排紙モータで図において反時計回りに回転駆動され、この回転力は無端ベルト５９を介して従動ローラ５７に伝達される。各ローラ５７，５８の間の下方近傍に配設されたケーシングの内部には、図示しないファン駆動モータを内蔵された吸引ファン６０が配設されている。吸引ファン６０は、その回転により図において下向きの空気流を発生させ、無端ベルト５９の表面に印刷済みの用紙を吸引する。
上側の無端ベルト５９の下方近傍には、印刷済みの用紙の通過を検知することにより、印刷枚数をカウントするための排紙検知センサ１１４が配設されている。
【００６７】
図７において、排紙装置５６の主な駆動回路としては、排紙装置５６の制御対象駆動手段である前記排紙モータを駆動するモータ駆動回路（図示せず）と、同制御対象駆動手段である前記排紙搬送手段のファン駆動モータを駆動するモータ駆動回路（図示せず）とが設けられており、これらを総称して排紙部駆動回路７８とする。
【００６８】
図２を参照して、操作パネル８５を説明する。
操作パネル８５は、原稿読取装置９の上部の一側部に配設されている。操作パネル８５には、図２に示すように、製版スタートキー８６、印刷スタートキー８７、試し刷りキー８８、テンキー群８９、モードクリアキー９１、エンターキー９２、４方向キー（カーソルキー）９３、クリア／ストップキー９４、選択設定キー（ファンクションキー）９５ａ，９５ｂ，９５ｃ，９５ｄ、ＬＣＤ（液晶表示装置）からなる液晶表示部９８等が配設されている。
【００６９】
製版スタートキー８６は、原稿２０の画像読取から排版、製版、給版、版付け印刷、排紙の各工程に至るまでの一連の工程（動作）を起動・設定するための起動手段としての機能を有する。
印刷スタートキー８７は、孔版印刷装置１に印刷動作を行わせる際に押下され、孔版印刷装置１が印刷待機状態となり各種印刷条件が設定された後に印刷スタートキー８７が押下されることにより印刷動作が行われる。
試し刷りキー８８は、孔版印刷装置１に試し刷りを行わせる際に押下され、各種条件が設定された後に試し刷りキー８８が押下されることにより１枚だけ印刷が行われる。テンキー群８９は、印刷枚数等の数値入力等に用いられる。
【００７０】
モードクリアキー９１は、各種のモードをクリアして初期状態に戻す際に押下される。エンターキー９２は、各種設定時に数値等を設定する際に、４方向キー９３は、上キー、下キー、左キー、右キーを有しており、画像編集時に画像位置を調整する場合あるいは各種設定時に数値や項目等を選択する場合等に押下される。
クリア／ストップキー９４は、孔版印刷装置１の動作を停止させる際あるいは置数のクリア時に押下される。
【００７１】
液晶表示部９８は、各種情報を表示・報知する表示・報知手段としての機能を有する。液晶表示部９８は、階層表示構造となっており、その下方に設けられた選択設定キー９５ａ，９５ｂ，９５ｃ，９５ｄを選択して押下することにより、原稿種類や用紙種類、変倍や印刷画像の位置調整等の様々なモードへの変更および各モードでの設定が可能に構成されている。また、液晶表示部９８には、図３に示したように「製版・印刷できます。」および「機密保持モードに設定されています。」のような孔版印刷装置１の状態が表示される他、後述するように本実施形態に特有の機密保持モード設定画面の表示、製版あるいは排版ジャム、給紙あるいは排紙ジャム等の警告、用紙、マスタ、インキ等のサプライの供給指示等も表示される。
【００７２】
本実施形態では孔版印刷装置１の各装置・各部に電力を供給するための図示しない電源スイッチを投入・オンした際の初期状態として、液晶表示部９８には図３に示すように、「製版・印刷できます。…機密保持モードに設定されています。」という初期画面表示がなされるようになっている。すなわち、図７に示す制御装置１００（ＣＰＵ１０１）からの指令により、液晶表示部９８の画面が図３に示す初期画面表示となるように図示しない液晶駆動回路が制御され、本実施形態における機密保持モード設定状態となる。
図３に示す初期画面表示において、選択設定キー９５ａ，９５ｂ，９５ｃ，９５ｄを適宜選択して押下することにより、図５に示す機密保持モード設定画面Ａに切り替えたり、図６に示す機密保持モード設定画面Ｂに切り替えたりすることができるように構成されている。さらに、図５に示す機密保持モード設定画面Ａの表示状態における１〜３のうちの何れかのモードや、図６に示す機密保持モード設定画面Ｂの表示状態における１または２のモードを、４方向キー９３およびエンターキー９２を用いて、あるいはテンキー群８９およびエンターキー９２を用いて選択し設定することができるようにも構成されている。
従って、４方向キー９３、テンキー群８９、エンターキー９２および選択設定キー９５ａ，９５ｂ，９５ｃ，９５ｄは、機密保持モードを実行するか否かを選択するモード選択設定手段としての機能を有する。
【００７３】
機密保持モード設定状態を解除するには、図４において、選択設定キー９５ａ，９５ｂ，９５ｃ，９５ｄを適宜選択して押下することにより、同図に示す表示画面に切り替えた上で、テンキー群８９およびエンターキー９２を用いて予め設定されている暗証番号と同一の番号・数値を入力・設定しないと解除できないように構成されている。従って、選択設定キー９５ａ，９５ｂ，９５ｃ，９５ｄ、テンキー群８９およびエンターキー９２は、本実施形態における機密保持モード解除手段としての機能を有する。
【００７４】
なお、本発明に特有の機密保持モードを設定する機密保持モード設定手段としては、孔版印刷装置１の初期状態時において、上記図３に示した液晶表示部９８の初期画面表示のように予め設定することに限らず、例えば操作パネルに専用の「機密保持モード設定キー」を配設して、使用者が必要に応じて任意に設定することも勿論可能である。
図２等にはその図示を省略しているが、操作パネル８５には、製版動作と印刷動作とを連続して行う際に押下される連続キー、よく行う操作を登録したりそれを呼び出したりする際に押下されるプログラムキー、印刷速度設定キー等の周知の各種キー、主に印刷枚数等の数字を表示するための７セグメントＬＥＤ（発光ダイオード）からなる表示部なども配設されている。
【００７５】
図７を参照して、孔版印刷装置１の主な制御構成を説明する。
図７において、制御装置１００は、孔版印刷装置１の原稿読取動作、排版動作、製版・給版動作、給紙動作、印刷動作および排紙動作を制御する制御手段としての機能・構成を有する。制御装置１００は、演算および制御機能を備えたＣＰＵ１０１（中央演算処理装置）、図示しないＩ／Ｏ（入出力）ポート、ＲＯＭ１０２（読み出し専用記憶装置）、ＲＡＭ１０３（読み書き可能な記憶装置）および電池等でバックアップされた図示しないタイマ等を備え、それらが図示しない信号バスによって接続された構成を有するマイクロコンピュータを具備している。
【００７６】
制御装置１００は、孔版印刷装置１内の図示しない制御基板配置部に設けられている。制御装置１００のＣＰＵ１０１（以下、説明の簡明化を図るため、単に「制御装置１００」というときがある）は、操作パネル８５からの各種信号および孔版印刷装置１内に設けられた前記した各種センサ・回転位置検出手段１１５等からの検知信号およびＲＯＭ１０２から呼び出された動作プログラムに基づいて、操作パネル８５の液晶表示部９８を駆動する液晶駆動回路（図示せず）、読取部駆動回路７４、排版部駆動回路７５、製版部駆動回路８１、カッタ駆動回路８２、マスタ搬送部駆動回路８３、印刷部駆動回路７９、給紙部駆動回路７７、排紙部駆動回路７８等に接続された制御対象となる前述した各駆動手段の作動および画像信号処理装置４４等を制御し、孔版印刷装置１全体の動作を制御する機能を有する他、本実施形態に特徴的な後述の制御機能を有している。
【００７７】
図７に示した原稿の光学情報、Ａ／Ｄ変換装置４３、画像信号処理装置４４、画像メモリ４５および制御装置１００周りについて補足説明する。
原稿読取装置９の画像読取部１９により、原稿２０の画像を原稿反射の光学情報として読み取り、ＣＩＳ（密着イメージセンサ）１４で光電変換された原稿２０の画像データに係るアナログの画像信号は、孔版印刷装置本体２の図示しない制御基板に設けられたＡ／Ｄ変換装置４３に送信される。Ａ／Ｄ変換装置４３は、上記アナログの画像信号を受け原稿２０の画像データに係るデジタルの画像信号に変換する。Ａ／Ｄ変換装置４３で変換された原稿２０の画像データに係るデジタルの画像信号は、前記制御基板に設けられた画像信号処理装置４４に送信され、ここで孔版印刷用に必要な変換処理（鏡像画像変換処理を含む）を施されて、原稿２０の変換画像データに係る２値のデジタルの画像信号（以下、単に「デジタル画像信号」というときがある）となる。このデジタル画像信号は、画像信号処理装置４４によって画像メモリ４５に送信され、デジタル画像信号として画像メモリ４５に記憶・記録される。
【００７８】
上記のとおり、画像信号処理装置４４は、原稿読取装置９によって取得した原稿２０の画像データをＡ／Ｄ変換装置４３を介して孔版印刷用に変換処理を施す画像処理手段としての機能を有する。画像信号処理装置４４により、孔版印刷用に変換処理を施されて送信されてくるデジタル画像信号（原稿２０の変換画像データ）としては、周知のように、例えば２値の画像データにおける黒画素に対応した「１」がマスタ８ａの熱可塑性樹脂フィルムの溶融穿孔に係るデジタル画像信号であり、白画素に対応した「０」がマスタ８ａの熱可塑性樹脂フィルムの溶融穿孔に係わらないデジタル画像信号である。
画像メモリ４５は、画像信号処理装置４４で孔版印刷用に変換処理を施されて送信されてくるデジタル画像信号（原稿２０の変換画像データ）を記憶する変換画像データ記録手段としての機能を有する。
画像メモリ４５は、少なくとも１版分の製版画像に対応したデジタルの画像信号を記憶する構成および記憶容量を有し、従来の技術で説明した広義のＲＡＭとして、例えばバックアップ電源（図示せず）によってバックアップされたＲＡＭ（ＳＲＡＭ）や、フラッシュメモリからなる。
【００７９】
画像信号処理装置４４は、制御装置１００と相互にシリアル通信を行い、製版部駆動回路８１等の制御に必要な信号を送信する。また、画像信号処理装置４４は、Ａ／Ｄ変換装置４３からのデジタルの画像信号を受け、少なくとも１版分の製版画像に対応した信号処理を施してデジタル画像信号として画像メモリ４５に出力し、かつ、画像メモリ４５に一度記憶された少なくとも１版分の製版画像に対応したデジタル画像信号を順次呼び出しながら、マスタ８ａに形成すべき１版分の製版画像の画像量を検知・認識し、サーマルヘッド駆動回路を備えた製版部駆動回路８１を制御する機能を有する。製版部駆動回路８１は、ＣＰＵ１０１からの指令により、サーマルヘッド２２を駆動する機能を有する。
なお、本実施形態では、便宜的に図示しない製版制御装置を備えた制御装置１００を介して画像信号処理装置４４から製版部駆動回路８１へ接続するように構成したが、製版部駆動回路８１を介してサーマルヘッド２２に送られるデジタル画像信号のデータ量が大きいので、画像信号処理装置４４から図示しない製版制御装置を介して製版部駆動回路８１へ接続するように構成するのが一般的である。
【００８０】
一方、図７に示すように、孔版印刷装置１には、コンピュータの一例としてのＰＣ（パソコン）２００が図示しないＩ／Ｆ（インターフェース装置）および前記制御基板に配置されている画像信号展開装置４２を介して、孔版印刷用に変換処理を施された変換画像データとしてのデジタル画像信号を画像メモリ４５に送信するように図示しない通信ケーブルを介して接続されている。
このように、ＰＣ２００は孔版印刷装置１と通信可能に接続されており、ＰＣ２００からの信号に基づいて孔版印刷装置１が作動する孔版印刷装置ネットワークシステムを構成している。
画像信号展開装置４２は、ＰＣ２００から送信されてくるデジタルの画像データを孔版印刷用に必要な変換処理（鏡像画像変換処理を含む）を施す画像処理手段としての機能を有する。画像信号展開装置４２により、孔版印刷用に変換処理を施されて送信されてくるデジタル画像信号（ＰＣ２００からの変換画像データ）は、例えば２値の画像データにおける黒画素に対応した「１」がマスタ８ａの熱可塑性樹脂フィルムの溶融穿孔に係るデジタル画像信号であり、白画素に対応した「０」がマスタ８ａの熱可塑性樹脂フィルムの溶融穿孔に係わらないデジタル画像信号である。
【００８１】
制御装置１００（ＣＰＵ１０１）は、製版スタートキー８６からのスタート信号および画像メモリ４５に記録している変換画像データ（デジタル画像信号）に基づいて、製版部駆動回路８１を介してサーマルヘッド２２を駆動すると共に、マスタ搬送部駆動回路８３を介して第１のステッピングモータ２３Ａを駆動制御することによりプラテンローラ２３および搬送駆動ローラ３０および搬送従動ローラ３１を作動させてマスタ８ａを穿孔製版・搬送した後、画像メモリ４５に記録している変換画像データを画像信号処理装置４４を介して消去させることで、機密保持モードを実行する第１の制御手段としての機能を有する。
制御装置１００（ＣＰＵ１０１）は、第１の機能に係る機密保持モードを実行するか否かを選択・設定する選択設定キー９５ａ〜９５ｄ（モード選択設定手段）の押下操作によって「機密保持モード」が有効に設定されたとき、その信号に基づいて第１の機能に係る機密保持モードを実行する第２の制御手段としての機能を有する。
【００８２】
また、制御装置１００（ＣＰＵ１０１）は、製版スタートキー８６からのスタート信号および画像メモリ４５に記録している変換画像データ（デジタル画像信号）に基づいて、製版部駆動回路８１を介してサーマルヘッド２２を駆動制御すると共に、マスタ搬送部駆動回路８３を介して第１のステッピングモータ２３Ａを駆動制御することによりプラテンローラ２３および搬送駆動ローラ３０および搬送従動ローラ３１を作動させてマスタ８ａを穿孔製版・搬送し、マスタ搬送部駆動回路８３を介して第２のステッピングモータ２６Ａを駆動制御することにより送り出し駆動ローラ２６、送り出し従動ローラ２７を作動させ、かつ、印刷部駆動回路７９を介して前記クランパモータ、メインモータ４０を駆動制御することによりクランパ３５および印刷ドラム３３を作動させて、印刷ドラム３３の外周面上へ製版済みのマスタ８ｂを着版させ、着版検知センサ７３からの正常な着版終了に係る信号を受信した後に、画像メモリ４５に記録している変換画像データを消去させることで、機密保持モードを実行する第３の制御手段としての機能を有する。
制御装置１００（ＣＰＵ１０１）は、第３の機能に係る機密保持モードを実行するか否かを選択・設定する選択設定キー９５ａ〜９５ｄ（モード選択設定手段）の押下操作によって「機密保持モード」が有効に設定されたとき、その信号に基づいて第３の機能に係る機密保持モードを実行する第４の制御手段としての機能を有する。
【００８３】
また、制御装置１００（ＣＰＵ１０１）は、製版スタートキー８６からのスタート信号および画像メモリ４５に記録している変換画像データ（デジタル画像信号）に基づいて、製版部駆動回路８１を介してサーマルヘッド２２を駆動制御すると共に、マスタ搬送部駆動回路８３を介して第１のステッピングモータ２３Ａを駆動制御することによりプラテンローラ２３および搬送駆動ローラ３０および搬送従動ローラ３１を作動させてマスタ８ａを穿孔製版・搬送し、マスタ搬送部駆動回路８３を介して第２のステッピングモータ２６Ａを駆動制御することにより送り出し駆動ローラ２６、送り出し従動ローラ２７を作動させ、かつ、印刷部駆動回路７９を介して前記クランパモータ、メインモータ４０を駆動制御することによりクランパ３５および印刷ドラム３３を作動させて、印刷ドラム３３の外周面上へ製版済みのマスタ８ｂを着版させる際に、着版検知センサ７３からの異常な着版不良（例えば、クランプミスやマスタジャム等）に係る信号を受信した場合に、画像メモリ４５に記録している変換画像データを消去せず、着版不良処理終了後におけるリカバリ製版を行うときに、機密保持モードを解除して画像メモリ４５に記録している変換画像データ（デジタル画像信号）に基づいて、製版部駆動回路８１を介してサーマルヘッド２２を駆動制御して穿孔製版を行うことで、機密保持解除モードを実行する第５の制御手段としての機能を有する。
制御装置１００（ＣＰＵ１０１）は、第５の機能に係る機密保持解除モードを実行するか否かを選択・設定する選択設定キー９５ａ〜９５ｄ（モード選択設定手段）の押下操作によって「機密保持解除モード」が有効に設定されたとき、その信号に基づいて第５の機能に係る機密保持モードを実行する第６の制御手段としての機能を有する。
【００８４】
ＲＯＭ１０２には、孔版印刷装置１全体の動作プログラムや必要な関係データ等が予め記憶・格納されており、この動作プログラムや関係データはＣＰＵ１０１によって適宜呼び出される。
ＲＡＭ１０３は、ＣＰＵ１０１の計算結果を一時的に記憶する機能、操作パネル８５上の各種キーおよび各種センサから設定および入力されたデータ信号およびオン／オフ信号を随時記憶する機能等を有している。
【００８５】
前述の構成に基づき、本実施形態における孔版印刷装置１の操作手順を含む動作について、図８および図９のフローチャートならびに図１０ないし図１２の動作図を参照しながら詳細に説明する。
（動作例１）
制御装置１００（ＣＰＵ１０１）の第１の制御手段としての機能を用いる動作例１を説明する。動作例１は、図８に示すフローチャートのステップＳ１ないし図９に示すフローチャートのステップＳ１２、およびステップＳ１８ないしステップＳ１９までの、従来において正常に行われる動作とほぼ同様の内容の動作に、制御装置１００（ＣＰＵ１０１）の第１の制御手段としての機能により発揮される本実施形態に特有の機密保持モードに係る動作を付加したものである。
この動作例１は、制御装置１００（ＣＰＵ１０１）による制御の下になされるため、各種モータや各種ソレノイド等のアクチュエータ（制御対象駆動手段）の起動、作動、停止等の詳細動作を説明する際において、制御装置１００（ＣＰＵ１０１）からの指令あるいは指令信号に基づきというような表現をできるだけ省略する。各図において、各種ローラや各種コロ等の回転方向を表す矢印表示について、主として駆動側を実線で、従動側を破線で示すものとする。これは、後述の動作例等でも同様である。
【００８６】
図１は、前記図示しない電源スイッチをオンした後の初期状態を示している。孔版印刷装置１の初期状態は、図１に示すように、製版書込装置３においてはマスタ支持部材２１に繰り出し自在に装着・セットされた状態のマスタロール８のマスタ８ａ先端が搬送駆動ローラ３０と搬送従動ローラ３１とのニップ部よりマスタ搬送方向Ｘ１に少しはみ出た製版待機位置を占めており、給版・ドラム装置３２において印刷ドラム３３のクランパ３５が図１の左斜めに位置する排版待機位置（ホームポジション）を占めており、給紙装置４７においては給紙トレイ４８上に積載された最上位の用紙Ｐが実線で示すように給紙ローラ４９に当接しない下限位置状態を占めている。
【００８７】
原稿２０の画像に応じた製版・印刷する際には、使用者は、図１に示されているように、原稿２０を原稿載置台１０上に載せ、前記サイドフェンス対で原稿幅方向の位置を合わせながら、原稿２０の先端を原稿搬送ローラ１１と原稿搬送コロ１２とで形成されるニップ部に突き当てることによって原稿セットが終了する。
次に、図８のステップＳ１において、操作パネル８５上の製版スタートキー８６を使用者が押すと、スタート信号が生成されて、これが制御装置１００のＣＰＵ１０１に入力される。これにより、先ず、原稿読取装置９のステッピングモータ１１Ａが起動（回転駆動開始）されることにより、少なくとも原稿搬送ローラ１１が反時計回りに回転すると共に、原稿搬送コロ１２が時計回りに従動回転して、原稿２０の搬送を開始する。この時、その他の前記各装置部分、すなわち排版装置６２、製版書込装置３、給版・ドラム装置３２等では動作を開始していなく、排版待機位置、製版待機位置状態をそれぞれ占めている。なお、原稿搬送ローラ１１および原稿搬送コロ１２の前記した回転により、これと駆動力伝達関係にある原稿排紙ローラ１６が反時計回りに回転すると共に、原稿排紙コロ１７が時計回りに従動回転する。
また、前記スタート信号に基づいて前記給紙トレイ昇降モータがオンすることにより、給紙トレイ４８が上昇して、最上位の用紙Ｐが給紙ローラ４９に当接することにより、図示しない給紙位置検知センサのオン検知によって最上位の用紙Ｐが給紙可能な状態になったことが制御装置１００により判断されると、給紙装置４７では給紙待機状態となる。
【００８８】
原稿搬送ローラ１１および原稿搬送コロ１２の前記した回転によって原稿２０先端が搬送されて、図１０に示すように、原稿２０先端が原稿先端検知センサ１３の配置位置、すなわち原稿２０先端が原稿先端検知センサ１３により検知される位置まで到達し、原稿先端検知センサ１３が原稿２０先端をオン（検知有）すると、その検知有り信号が制御装置１００のＣＰＵ１０１に入力される。この時、制御装置１００は原稿先端検知センサ１３からの検知有り信号に基づいて、ＲＯＭ１０２に予め記憶されているプログラムおよび関係データを呼び出すことによって、所定量の原稿２０の搬送を行い、原稿２０先端を所定の位置（原稿２０先端がＣＩＳ１４の読取位置１４Ａに至る直前の位置）まで搬送した後、原稿搬送ローラ１１が原稿２０の搬送動作を一旦停止する。
【００８９】
原稿２０の搬送動作を一旦停止した後には、ステッピングモータ１１Ａが再び回転駆動され、少なくとも原稿搬送ローラ１１が反時計回りに回転すると共に、原稿搬送コロ１２が時計回りに従動回転して、原稿２０の搬送を再開し、こうして搬送されてきた原稿２０の画像がＣＩＳ１４で読み取られることで行われ、読み取られた原稿２０の光学情報（画像情報に係る反射光）はＣＩＳ１４で光電変換されて、原稿２０の画像情報を画像データとして取得する。ＣＩＳ１４で光電変換処理された原稿２０の画像データに係るアナログの画像信号は、Ａ／Ｄ変換装置４３に送信され、ここで原稿２０の画像データに係るアナログの画像信号がデジタルの画像信号に変換される。Ａ／Ｄ変換装置４３で変換された原稿２０の画像データに係るデジタルの画像信号は、画像信号処理装置４４に送信され、ここで孔版印刷用に必要な変換処理、すなわち版（マスタ）を作るのに最適な形（例えばデジタル画像信号および鏡像画像）に変換され、その変換画像データに係るデジタル画像信号を画像メモリ４５に記録させる（ステップＳ２ないしステップＳ３）。
【００９０】
また、原稿読取装置９での画像データの取得と並行して、着版検知センサ７３によって印刷ドラム３３上に使用済みのマスタ８ｃの有ることを検知された場合には、図１１に示すように、排版装置６２により排版動作を行い、前回の印刷で使用した印刷ドラム３３上の使用済みのマスタ８ｃを剥離・廃棄する（ステップＳ７ないしステップＳ８）。
排版装置６２での排版動作の詳細は、以下のとおりである。先ず、印刷部駆動回路７９の前記クランパモータが作動することによりクランパ３５が開放・拡開された後、排版部駆動回路７５の前記移動手段および印刷部駆動回路７９のメインモータ４０が作動して各駆動ローラ６７，７０および印刷ドラム３３が回転駆動されると共に、下部排版部材６４が印刷ドラム３３側に移動し、駆動ローラ７０の外周面上に位置するゴムベルト７２が使用済みマスタと当接する。すると、印刷ドラム３３の図１中矢印方向の回転およびゴムベルト７２の移動によって印刷ドラム３３の外周面上よりすくい上げられた使用済みのマスタ８ｃは、下部排版部材６４と上部排版部材６３とで挟持搬送されて印刷ドラム３３の外周面より剥離される。剥離された使用済みのマスタ８ｃは排版ボックス６５内に廃棄された後、圧縮板６６の往復揺動運動によって圧縮される。
【００９１】
ステップＳ９において、排版動作が終了すると、画像メモリ４５に記録されている原稿２０の変換画像データに係るデジタル画像信号を呼び出しながら、製版動作を開始する（ステップＳ４）。
ステップＳ５において、先ず、第１のステッピングモータ２３Ａを起動（回転駆動開始）させることにより、プラテンローラ２３を回転し、次いで所定のタイミングで第２のステッピングモータ２６Ａを少しの時間回転駆動させることにより、マスタ８ｂの先端がガイド板２９に案内されつつマスタ送り出し手段７の作動によって製版位置を占めるまでマスタ８ａを搬送する。製版位置までマスタ８ａの先端を搬送完了したと同時に、製版書込装置３では製版書込動作（製版動作）が開始される。すなわち、サーマルヘッド２２の前記多数の発熱素子が主走査方向にパルス状に通電されて選択的に発熱されると共に、第１のステッピングモータ２３Ａが回転駆動されることにより、プラテンローラ２３、マスタ搬送手段６が作動を開始して、マスタロール８からマスタ８ａが引き出されつつマスタ搬送方向Ｘ１に搬送されながら、マスタ８ａの前記熱可塑性樹脂フィルム部分がデジタル画像信号（変換画像データ）に応じて選択的に加熱穿孔される。
この時、第２のステッピングモータ２６Ａは駆動停止していることにより、プラテンローラ２３およびマスタ搬送手段６によりマスタ搬送方向Ｘ１に搬送される画像情報が書き込まれた製版済みのマスタ８ｂは、ガイド板２９の上方にたわみを形成されながら貯容されていく。
【００９２】
一方、印刷ドラム３３の外周面上より使用済みのマスタ８ｃが全て剥離された後も、メインモータ４０の回転駆動により印刷ドラム３３は回転を継続し、図１１に示すようにクランパ３５が略右横に位置する所定の給版待機位置まで回転して停止する。印刷ドラム３３が給版待機位置で停止すると、印刷部駆動回路７９の前記クランパモータが作動してクランパ３５が開放され、孔版印刷装置１は給版待機状態となる（ステップＳ１０ないしステップＳ１１）。
【００９３】
そして、所定の時間停止していた第２のステッピングモータ２６Ａが起動再開されることにより、画像情報が書き込まれた製版済みのマスタ８ｂはマスタ送り出し手段７の作動開始によって、前記たわみの形成を保持されながら送り出され、マスタガイド板２８に案内されつつ前記ステージに対して拡開しているクランパ３５の間に挿入される。そして、第１のステッピングモータ２３Ａのステップ数がある設定値に達し、製版済みのマスタ８ｂの先端部が前記ステージとクランパ３５との間に届いたと判断されると、前記開閉手段の作動によりクランパ３５が閉じられ、製版済みのマスタ８ｂの先端部が前記ステージとクランパ３５との間に吸着・挾持される。
【００９４】
製版済みのマスタ８ｂの先端部のクランプ後、メインモータ４０の回転駆動により印刷ドラム３３がマスタ搬送速度と略同じ周速度で図１４中矢印方向に回転を再開して、製版済みのマスタ８ｂがプラテンローラ２３、マスタ搬送手段６およびマスタ送り出し手段７により搬送されて印刷ドラム３３の外周面へ巻装されるべく給版される。
第１のステッピングモータ２３Ａの所定ステップ数の回転駆動により、マスタ８ａへの製版および設定量（１版分）の製版済みのマスタ８ｂの搬送が終了したと判断されると、切断手段５が作動して製版済みのマスタ８ｂが切断されると共に、第１のステッピングモータ２３Ａの回転駆動が停止されることによりプラテンローラ２３およびマスタ搬送手段６の回転が停止する。
【００９５】
この際、制御装置１００（ＣＰＵ１０１）は、第１のステッピングモータ２３Ａの所定ステップ数の回転駆動により、マスタ８ａへの製版および設定量（１版分）の製版済みのマスタ８ｂの搬送が終了したと判断し、画像メモリ４５に記録している製版に使用した変換画像データの全てを画像信号処理装置４４を介して消去させることで、動作例１に特有の機密保持モードを自動的に実行する。
【００９６】
そして、切断された製版済みのマスタ８ｂの後端が、印刷ドラム３３の回転によって製版書込装置３内から引き出され、印刷ドラム３３の外周面に完全に巻き取られるまで、印刷ドラム３３がほぼ１回転し、印刷ドラム３３の前記した外周面位置に配置された前記センサ反応部材が着版検知センサ７３に対向する位置を占めた際に、着版検知センサ７３より製版済みのマスタ８ｃが正常に巻装・着版されたか否かを判断する。そして、着版検知センサ７３がオンすることにより、製版済みのマスタ８ｃが正常に巻装・着版されたことが検知されると、印刷ドラム３３への製版済みのマスタ８ｂの巻装が終了することにより、給版動作が終了する。この後、用紙Ｐが給紙部、印刷部、排紙部を通過して排紙トレイ６１上に排出積載される版付け印刷、適宜行われる試し刷り、通常の正規の印刷が行われる（ステップＳ１２、ステップＳ１８ないしステップＳ１９）。
版付け印刷、通常の正規の印刷動作等の詳細は、上記特開２００４−９３２０号公報の段落「０１０５」〜「０１１０」に記載されている内容と同様であり、本発明の要旨部分とも余り関係がなく、また前述した各装置・各部の構成等からも当業者であれば容易に実施できるので、その説明を省略する。
【００９７】
前述したとおり、本実施形態の動作例１によれば、画像信号処理装置４４により孔版印刷用に変換処理された変換画像データを画像メモリ４５に記録し、その変換画像データに基づいてサーマルヘッド２２およびプラテンローラ２３によってマスタ８ａを穿孔製版した後、製版に使用した画像メモリ４５内に記録している変換画像データを自動的に消去することにより、第三者によって画像メモリ４５から該変換画像データを呼び出され、製版・印刷されることがないので、機密保持を行うことができる。
なお、ステップＳ３およびステップＳ４の動作に限らず、画像信号処理装置４４により孔版印刷用に変換処理された変換画像データは、制御装置１００内の図示しない製版制御部に転送すると同時に、画像メモリ４５に記憶すべく転送させてもよい。
【００９８】
（動作例２）
制御装置１００（ＣＰＵ１０１）の第３の制御手段としての機能を用いる動作例２を説明する。動作例２は、動作例１と比較して、ステップＳ１２において、着版検知センサ７３からの正常な着版終了に係るオン信号を受信した後に、画像メモリ４５に記録している製版に使用した変換画像データの全てを自動的に消去させることで、動作例２に特有の機密保持モードを自動的に実行する点にある。
【００９９】
従って、本実施形態の動作例２によれば、画像信号処理装置４４により孔版印刷用に変換処理された変換画像データを画像メモリ４５に記録し、その変換画像データに基づいてサーマルヘッド２２およびプラテンローラ２３によってマスタ８ａを穿孔製版し、給版手段によって印刷ドラム３３の外周面上へ製版済みのマスタ８ｂを着版させ、着版検知センサ７３によってその着版終了を検知した後に、製版に使用した画像メモリ４５内に記録している製版に使用した変換画像データを自動的に消去することにより、第三者によって画像メモリ４５から該変換画像データを呼び出され、製版・印刷されることがないので、機密保持を行うことができるだけでなく、製版中ないし製版後の給版・着版でトラブルが発生した場合には、該当する変換画像データを残すことができる
【０１００】
（動作例３）
制御装置１００（ＣＰＵ１０１）の第２および第４の制御手段としての機能を用いる動作例３を説明する。動作例３は、動作例１および２と比較して、使用者がステップＳ１における製版スタートキー８６を押下操作する前の時点で、画像メモリ４５に記録している変換画像データを、マスタ８ａに穿孔製版後、または着版検知センサ７３による着版検知後に消去する「機密保持モード」を有効にするか否かを選択可能に構成した点が主に相違する。
画像データ情報の機密を保持したい場合には、図３に示す操作パネル８５の液晶表示部９８の初期画面表示状態において、使用者が選択設定キー９５ａ、９５ｂ、９５ｃ、９５ｄ等を使用して「機密保持モード」を有効に設定する。このとき、製版終了後に変換画像データを消去するか、着版検知後に消去するかは、選択可能としてもよい。
【０１０１】
例えば、液晶表示部９８の初期画面表示状態において、使用者が選択設定キー９５ａを押下することで、液晶表示部９８の画面表示を図５に示す機密保持モード設定画面Ａに切り替えて表示させた後、「１：製版後にデータ消去」、「２：着版後にデータ消去」または「３：ＯＦＦ（オフ）」の何れか１つを、４方向キー９３およびエンターキー９２で、あるいはテンキー群８９およびエンターキー９２を用いて、白黒反転表示させて選択・設定入力すればよい。図５の機密保持モード設定画面Ａの例では、「２：着版後にデータ消去」を白黒反転表示させて選択・設定する場合を示している。
本実施形態の動作例３による「機密保持モード」が有効になった場合には、上記動作例１で記述したように、画像信号処理装置４４により孔版印刷用に変換処理された変換画像データを画像メモリ４５に記録し、その変換画像データに基づいてサーマルヘッド２２およびプラテンローラ２３によって１版分のマスタ８ａを穿孔製版した後、または着版検知センサ７３による着版検知後に、画像メモリ４５内に記録している製版に使用した変換画像データを全て消去することとなる。
【０１０２】
例えば、機密保持を行わない場合には、「３：ＯＦＦ（オフ）」を選択・設定入力することにより、「機密保持モード」を無効に設定することで、初期設定されている「機密保持モード」状態を解除することができる。従って、この場合には、当然製版後または着版検知後も変換画像データを画像メモリ４５に記録したままであるので、後日、使用者の好きな時に画像メモリ４５から変換画像データの呼び出しを行い、再度製版・印刷を行ったり、変換画像データを加工処理して製版・印刷を行うことが可能となる。
【０１０３】
（動作例４）
制御装置１００（ＣＰＵ１０１）の第５および第６の制御手段としての機能を用いる動作例４を説明する。動作例４は、動作例１と比較して、図９に示すステップＳ１２ないしステップＳ１７およびステップＳ４に表されている動作に係るものである。製版書込装置３でのマスタのジャムや給版部でのマスタのジャムが発生した場合には、再度製版(リカバリ製版)を行う必要があるが、この場合においても、使用者(または管理者)が必要とするセキュリティレベルに応じて選択できる。
例えば、液晶表示部９８の初期画面表示状態において、使用者が選択設定キー９５ｃを押下することで、液晶表示部９８の画面表示を図６に示す機密保持モード設定画面Ｂに切り替えて表示させた後、「１：リカバリ製版での機密保持モードＯＮ（オン）」、「２：リカバリ製版での機密保持モードＯＦＦ（オフ）」の何れか一方を、４方向キー９３およびエンターキー９２で、あるいはテンキー群８９およびエンターキー９２等を用いて、白黒反転表示させて選択・設定入力すればよい。図６の機密保持モード設定画面Ｂの例では、「１：リカバリ製版での機密保持モードＯＮ（オン）」を白黒反転表示させて選択・設定する場合を示している。
【０１０４】
つまり、完全なセキュリティを必要とする場合には、前述のように図３に示した操作パネル８５の初期画面より、選択設定キー９５ａ、９５ｂ、９５ｃ、９５ｄ等を使用してジャム処理時の「機密保持モード」を有効に設定することができる。
図９に示すステップＳ１２において、着版検知センサ７３がオフのままで、製版済みのマスタ８ｂの印刷ドラム３３への給版・着版が正常に行われていない異常の場合、すなわち製版書込装置３のマスタ搬送路での製版済みのマスタ８ｂのジャムや、クランプミスに伴うマスタ８ｂのジャム発生時等には、着版検知センサ７３からのオフ信号に基づいて、制御装置１００（ＣＰＵ１０１）は前記液晶駆動回路を介して操作パネル８５の液晶表示部９８にジャム発生表示をさせる。
このジャム処理時において、「機密保持モード」を設定した場合、例えば図６に示す機密保持モード設定画面Ｂの切り替え表示状態において、「１：リカバリ製版での機密保持モードＯＮ（オン）」を選択・設定した場合には、画像メモリ４５に記録している変換画像データを自動で消去することとなる。
【０１０５】
次いで、ステップＳ１４において、使用者がジャム処理を行ったか否かが判断される。これは、ジャム処理が適切・正常に行われた場合、例えば印刷ドラム３３のホームポジションへの回転移動時において着版検知センサ７３からのオン／オフ信号に基づいて、制御装置１００（ＣＰＵ１０１）により判断される。
ジャム処理作業が終了し、復帰動作を行った後に、操作パネル８５上の液晶表示部９８にて再度画像データの取り込みを表示して、最初からの作業を行うように表示・アナウンスすることになる。
【０１０６】
上記ジャムにより着版検知センサ７３がオフで着版不良を検知した場合で、再度画像データを取り込む作業がわずらわしいときには、着版検知センサ７３がオフ検知した時点で、画像メモリ４５に記録している変換画像データを自動で消去せず、保存したままとする。このようなリカバリ製版の際には、画像メモリ４５に記録している変換画像データを呼び出すために、ステップＳ１５において、制御装置１００（ＣＰＵ１０１）からの指令により、液晶表示部９８の画面表示が図４に示す画面表示に自動的に切り替わり、暗証番号入力を要求される。
【０１０７】
この暗証番号（例えば「６７８９」）は、画像メモリ４５（変換画像データ記録手段）に記録している変換画像データを使用してリカバリ製版を行うための第１のコードを記憶・記録する記録手段としてのＲＯＭ１０２や図示しないＰＲＯＭやフラッシュメモリ等に予め登録されている。
そこで、例えば第１のコードとしての予め登録されている暗証番号（例えば「６７８９」）と同一の、機密情報を守るべき立場の者だけで共有している第２のコードとしての暗証番号（例えば「６７８９」）をテンキー群８９により、設定入力すればよい。そして、ステップＳ１７において、予め登録されている暗証番号（第１のコード）とテンキー群８９により設定入力した暗証番号（第２のコード）とが同一で一致しているか否かが判断され、一致している場合にはステップＳ４に戻って、画像メモリ４５に記録している変換画像データを呼び出してのリカバリ製版を行うことができる。
【０１０８】
特に機密保持が必要でない場合には、前述のように図２および図３に示した操作パネル８５より選択設定キー９５ａ、９５ｂ、９５ｃ、９５ｄ等を使用してジャム処理時の「機密保持モード」を無効に設定することができ、使用者は例えば図６に示す機密保持モード設定画面Ｂの切り替え表示状態において、「２：リカバリ製版での機密保持モードＯＦＦ（オフ）」を選択・設定することにより行う。この場合には、既知であるようにリカバリ製版の際には、無条件で、画像メモリ４５に記録している変換画像データを呼び出すことも可能である。
【０１０９】
図７に示したように、ＰＣ２００からのデジタルの画像データが、図示しないＩ／Ｆ（インターフェース装置）および画像信号展開装置４２を介して、孔版印刷用に変換処理を施された変換画像データとしてのデジタル画像信号を画像メモリ４５に送信して記録する場合においても、前述した本実施形態の動作例１ないし５に準じて孔版印刷装置１側で「機密保持モード」の設定や解除等を行うことも勿論可能である。
また、ＰＣ２００側に、孔版印刷装置１側の操作パネル８５と同様の仮想プログラムを設定して、ＰＣ２００側においてソフトウェア的に「機密保持モード」の設定や解除等を行うように構成することも可能である。
【０１１０】
以上述べたとおり、本発明を実施例を含む特定の実施形態および動作例等について説明したが、本発明の構成および動作は、前述した実施形態および動作例等に限定されるものではなく、これらを適宜組み合わせて構成したり動作させたりしてもよく、本発明の範囲内において、その必要性および用途等に応じて種々の実施形態や実施例等を構成し得ることは当業者ならば明らかである。
【図面の簡単な説明】
【０１１１】
【図１】本発明の一実施形態を示す孔版印刷装置全体の一部断面正面図である。
【図２】図１の孔版印刷装置に用いられる操作パネルの平面図である。
【図３】図２の操作パネルの液晶表示部への機密保持モード設定時の表示を示す平面図である。
【図４】図２の操作パネルの液晶表示部への暗証番号の入力要求表示を示す平面図である。
【図５】図２の操作パネルの液晶表示部に表示される機密保持モード設定画面例を示す平面図である。
【図６】図２の操作パネルの液晶表示部に表示される図５とは別の機密保持モード設定画面例を示す平面図である。
【図７】図１の孔版印刷装置の制御構成を示すブロック図である。
【図８】図１の孔版印刷装置の要部の動作順序を表すフローチャートである。
【図９】図８の続きのフローチャートである。
【図１０】図１の孔版印刷装置の動作を表す一部断面正面図である。
【図１１】図１０の続きの動作を表す一部断面正面図である。
【図１２】図１１の続きの動作を表す一部断面正面図である。
【符号の説明】
【０１１２】
１    孔版印刷装置
３    製版書込装置
４    製版手段
７    マスタ送り出し手段（給版手段を構成）
８ａ  マスタ
８ｂ  製版済みのマスタ
９    原稿読取装置
１４  ＣＩＳ（密着イメージセンサ）
２０  原稿
２２  サーマルヘッド（製版手段）
３２  給版・ドラム装置
３３  印刷ドラム
３５  クランパ（給版手段を構成）
３６  インキ供給手段
４２  画像信号展開装置（画像処理手段）
４３  Ａ／Ｄ変換装置
４４  画像信号処理装置（画像処理手段）
４５  画像メモリ（変換画像データ記録手段）
６２  排版装置
７３  着版検知センサ（着版検知手段）
７４  読取部駆動回路
７５  排版部駆動回路
７９  印刷部駆動回路
８１  製版部駆動回路
８２  カッタ駆動回路
８３  マスタ搬送部駆動回路
８５  操作パネル
８９  テンキー群（モード選択設定手段、第２のコード生成手段）
９２  エンターキー（モード選択設定手段、第２のコード生成手段）
９３  ４方向キー（モード選択設定手段）
９５ａ〜９５ｄ  選択設定キー（モード選択設定手段）
１００  制御装置（第１ないし第６の制御手段、制御手段）
１０１  ＣＰＵ（第１ないし第６の制御手段、制御手段）
１０２  ＲＯＭ（記録手段）
２００    パソコン（コンピュータの一例）
Ｐ    用紙（シート状記録媒体の一例）
Ｘ１  マスタ搬送方向
Ｘ    用紙搬送方向
【図１】
2006343971.tif 000003
【図２】
2006343971.tif 000004
【図３】
2006343971.tif 000005
【図４】
2006343971.tif 000006
【図５】
2006343971.tif 000007
【図６】
2006343971.tif 000008
【図７】
2006343971.tif 000009
【図８】
2006343971.tif 000010
【図９】
2006343971.tif 000011
【図１０】
2006343971.tif 000012
【図１１】
2006343971.tif 000013
【図１２】
2006343971.tif 000014